(57)【要約】 【課題】  表示領域およびメモリの容量を有効に活用することができ、使用者に対する利便性を向上することができる電子装置を提供する。【解決手段】  制御部１８によって実行されているアプリケーションプログラムの数に応じて、それぞれ異なる描画の向きで、各アプリケーションプログラムに対応する予め定める情報を、表示部２４の表示画面に描画して表示することによって、使用者に対して、アプリケーションプログラムを実行しているか否かを認識させることができる。換言すれば、使用者は、アプリケーションプログラムが実行されているか否かを把握することができる。したがって、使用者が複数のアプリケーションプログラムを実行していることを忘れて、所定の作業を行うために実行していたアプリケーションプログラムを終了してしまうことを抑止することができ、使用者に対する利便性を向上することができる。【選択図】      図１
2005309996.tif 000002
【特許請求の範囲】
【請求項１】
予め定める複数のアプリケーションプログラムを記憶する記憶手段と、
予め定める情報を表示する表示手段と、
記憶手段に記憶される複数のアプリケーションプログラムのうちの所定のアプリケーションプログラムを実行させるための実行指示情報を入力する入力手段と、
入力手段によって入力される実行指示情報に基づいて、記憶手段に記憶される所定のアプリケーションプログラムを実行して、所定のアプリケーションプログラムに対応する予め定める情報を表示手段に表示させる制御手段とを含み、
制御手段は、実行指示情報が入力されたとき、複数のアプリケーションプログラムのうちの少なくともいずれか１つのアプリケーションプログラムを実行している場合と、アプリケーションプログラムを実行していない場合とで、それぞれ異なる表示形態で所定のアプリケーションプログラムに対応する予め定める情報を表示するように、表示手段を制御することを特徴とする電子装置。
【請求項２】
前記記憶手段に記憶される複数のアプリケーションプログラムのうち、前記制御手段によって実行されているアプリケーションプログラムの数を計数する計数手段をさらに含み、
前記制御手段は、計数手段によって計数されるアプリケーションプログラムの数に応じて、それぞれ異なる表示形態で所定のアプリケーションプログラムに対応する予め定める情報を表示するように、表示手段を制御することを特徴とする請求項１記載の電子装置。
【請求項３】
前記表示手段は、予め定める情報を表示する所定の表示領域を備え、
前記制御手段は、実行指示情報が入力されたとき、予め定める時間が経過するごとに、予め定める向きに、表示領域全体に占める入力手段によって入力された実行指示情報に基づいて実行されるアプリケーションプログラムに対応する予め定める情報が表示される表示領域が徐々に大きくなるように、前記予め定める情報を表示手段に表示させ、実行指示情報が入力されたとき、複数のアプリケーションプログラムのうちの少なくともいずれか１つのアプリケーションプログラムを実行している場合と、アプリケーションプログラムを実行していない場合とで、予め定める向きが異なるように、表示手段を制御することを特徴とする請求項１または２記載の電子装置。
【請求項４】
前記入力手段によって入力される実行指示情報に基づいて実行されるアプリケーションプログラムに対応する予め定める情報が表示領域全体に表示されるまでの時間を設定する表示時間設定手段をさらに含み、
前記制御手段は、表示時間設定手段によって設定される時間に基づいて、前記アプリケーションプログラムに対応する予め定める情報を表示するように、表示手段を制御することを特徴とする請求項３記載の電子装置。
【請求項５】
前記制御手段は、前記計数手段によって計数されるアプリケーションプログラムの数を表す情報を、所定のアプリケーションプログラムに対応する予め定める情報とともに表示するように、表示手段を制御することを特徴とする請求項２〜４のいずれか１つに記載の電子装置。
【発明の詳細な説明】
【技術分野】
【０００１】
本発明は、予め定める情報を表示画面に表示させるときに好適に用いられる電子装置に関する。
【背景技術】
【０００２】
従来の技術の携帯電話機および携帯情報端末（Personal Digital Assistance；略称：ＰＤＡ）などの電子装置では、複数のアプリケーションプログラム（以下、単に「プログラム」と表記する場合がある）を実行しているときに、使用者によって、すべてのプログラムを終了させるための終了キーが押下されると、未保存の編集データが存在しているときには、プログラムを終了する前に、未保存の編集データが存在していることを使用者に促す確認メッセージを表示し、未保存の編集データが存在しないときには、終了キーの押下と同時にすべてのプログラムを終了するように構成される。
【０００３】
また、従来の技術の電子装置では、メモリに記憶されている所定のデータ項目をメニュー画面として表示し、使用者が、表示されたメニュー画面の中から所望のデータ項目を選択する操作を行うことによって所望のデータ項目の詳細内容を表示するように構成される。また、メモリに記憶されている所定のデータ項目の数が多く、メニュー画面として１画面に表示しきれない場合は、メニュー画面を複数画面に分割したり、階層化したりして、表示画面を切換えることによって所定のデータ項目およびその詳細内容を表示するように構成される。
【０００４】
特許文献１に記載のマルチ画面表示装置は、表示ユニットを制御するシステムコントローラから任意の複数の表示ユニットに対して同時にトリガ信号を与えることによって、任意の複数の表示ユニットに対して同時に指定した動作を行うように構成される。また、各々の表示ユニットも表示ユニット内部の複数のフレームメモリから再生された画像信号を合成することによって表示画面の高速な切換え、ならびにワイプおよびフェードを行い、効果的な特殊再生を行うように構成される。
【０００５】
特許文献２に記載の画像表示制御装置は、第１の駒の画像から第２の駒の画像へと変化する途中を表すモーフィング画像（中間画像）を生成し、第１の駒の画像表示から第２の駒の画像表示に切換える前に、生成したモーフィング画像を表示するように構成される。
【０００６】
【特許文献１】特開平５−２１０３７１号公報
【特許文献２】特開２００３−９９７９６号公報
【発明の開示】
【発明が解決しようとする課題】
【０００７】
前述の従来の技術の電子装置は、実行中のプログラムを終了する前に、実行中のプログラムが存在することを使用者に報知するようには構成されていないので、未保存の編集データが存在せずに複数のプログラムを実行している状態で、たとえば複数のプログラムを実行していることを忘れている使用者によって終了キーが押下された場合、実行中のプログラムが存在することを使用者に報知せずに、すべてのプログラムを終了してしまう。したがって、使用者による終了キーの操作によって、使用者自身が所定の作業を行うために実行していたプログラムも終了されてしまうので、使用者は再度、所望のプログラムを実行させる操作を行わなければならず、使用者に対する利便性が低いという問題がある。
【０００８】
実行中のプログラムが存在することを使用者に認識させるために、たとえば電子装置に予め記憶される複数のプログラムのうち、いずれのプログラムが実行されているかを表す情報を表示することによって報知することが考えられるが、このような表示を行うためには、表示領域およびいずれのプログラムが実行されているかを表す情報を記憶させるためのメモリの容量を確保する必要がある。前述のように、いずれのプログラムが実行されているかを表す情報を表示するために表示領域およびメモリの容量を確保してしまうと、従来の技術では、表示領域およびメモリの容量は限られているので、所定のメニュー画面を表示する領域が小さくなり、また複数のプログラムを実行するために必要なメモリの容量が不足して、複数のプログラムを実行することが困難になるという問題がある。
【０００９】
前述の特許文献１および特許文献２に記載の従来の技術では、使用者に実行中のプログラムが存在することを認識させるための技術については、述べられていない。したがって、特許文献１および特許文献２に記載の従来の技術では、前述の問題を解決することができない。
【００１０】
本発明の目的は、表示領域およびメモリの容量を有効に活用することができ、使用者に対する利便性を向上することができる電子装置を提供することである。
【課題を解決するための手段】
【００１１】
本発明は、予め定める複数のアプリケーションプログラムを記憶する記憶手段と、
予め定める情報を表示する表示手段と、
記憶手段に記憶される複数のアプリケーションプログラムのうちの所定のアプリケーションプログラムを実行させるための実行指示情報を入力する入力手段と、
入力手段によって入力される実行指示情報に基づいて、記憶手段に記憶される所定のアプリケーションプログラムを実行して、所定のアプリケーションプログラムに対応する予め定める情報を表示手段に表示させる制御手段とを含み、
制御手段は、実行指示情報が入力されたとき、複数のアプリケーションプログラムのうちの少なくともいずれか１つのアプリケーションプログラムを実行している場合と、アプリケーションプログラムを実行していない場合とで、それぞれ異なる表示形態で所定のアプリケーションプログラムに対応する予め定める情報を表示するように、表示手段を制御することを特徴とする電子装置である。
【００１２】
また本発明は、前記記憶手段に記憶される複数のアプリケーションプログラムのうち、前記制御手段によって実行されているアプリケーションプログラムの数を計数する計数手段をさらに含み、
前記制御手段は、計数手段によって計数されるアプリケーションプログラムの数に応じて、それぞれ異なる表示形態で所定のアプリケーションプログラムに対応する予め定める情報を表示するように、表示手段を制御することを特徴とする。
【００１３】
また本発明は、前記表示手段は、予め定める情報を表示する所定の表示領域を備え、
前記制御手段は、実行指示情報が入力されたとき、予め定める時間が経過するごとに、予め定める向きに、表示領域全体に占める入力手段によって入力された実行指示情報に基づいて実行されるアプリケーションプログラムに対応する予め定める情報が表示される表示領域が徐々に大きくなるように、前記予め定める情報を表示手段に表示させ、実行指示情報が入力されたとき、複数のアプリケーションプログラムのうちの少なくともいずれか１つのアプリケーションプログラムを実行している場合と、アプリケーションプログラムを実行していない場合とで、予め定める向きが異なるように、表示手段を制御することを特徴とする。
【００１４】
また本発明は、前記入力手段によって入力される実行指示情報に基づいて実行されるアプリケーションプログラムに対応する予め定める情報が表示領域全体に表示されるまでの時間を設定する表示時間設定手段をさらに含み、
前記制御手段は、表示時間設定手段によって設定される時間に基づいて、前記アプリケーションプログラムに対応する予め定める情報を表示するように、表示手段を制御することを特徴とする。
【００１５】
また本発明は、前記制御手段は、前記計数手段によって計数されるアプリケーションプログラムの数を表す情報を、所定のアプリケーションプログラムに対応する予め定める情報とともに表示するように、表示手段を制御することを特徴とする。
【発明の効果】
【００１６】
本発明によれば、記憶手段には、予め定める複数のアプリケーションプログラムが記憶される。入力手段には、記憶手段に記憶される複数のアプリケーションプログラムのうちの所定のアプリケーションプログラムを実行させるための実行指示情報が入力される。表示手段は、入力手段によって、実行指示情報が入力されたとき、複数のアプリケーションプログラムのうちの少なくともいずれか１つのアプリケーションプログラムを実行している場合と、アプリケーションプログラムを実行していない場合とで、それぞれ異なる表示形態で所定のアプリケーションプログラムに対応する予め定める情報を表示するように、制御手段によって制御される。
【００１７】
前述のように、実行指示情報が入力されたとき、複数のアプリケーションプログラムのうちの少なくとも１つのアプリケーションプログラムを実行している場合と、アプリケーションプログラムを実行していない場合とで、それぞれ異なる表示形態で、所定のアプリケーションプログラムに対応する予め定める情報を表示手段に表示するので、使用者に対して、アプリケーションプログラムを実行しているか否かを認識させることができる。換言すれば、使用者は、アプリケーションプログラムが実行されているか否かを把握することができる。したがって、従来の技術のように、使用者が複数のアプリケーションプログラムを実行していることを忘れて、所定の作業を行うために実行していたアプリケーションプログラムを終了してしまうことを抑止することができる。これによって、使用者に対する利便性を向上することができる。
【００１８】
また、アプリケーションプログラムを実行している場合と、アプリケーションプログラムを実行していない場合とで、それぞれ異なる表示形態で所定のアプリケーションプログラムに対応する予め定める情報を表示することができるので、記憶手段に記憶される複数のアプリケーションプログラムのうち、いずれのアプリケーションプログラムが実行されているかを表す情報を表示手段に表示させる必要がない。したがって、従来の技術のように表示領域が小さくなること、およびメモリの容量が不足して、複数のアプリケーションプログラムを実行することが困難になることを回避することができる。これによって、表示領域およびメモリの容量を有効に活用することができる。
【００１９】
また本発明によれば、計数手段は、記憶手段に記憶される複数のアプリケーションプログラムのうち、制御手段によって実行されているアプリケーションプログラムの数を計数する。表示手段は、計数手段によって計数されるアプリケーションプログラムの数に応じて、それぞれ異なる表示形態で所定のアプリケーションプログラムに対応する予め定める情報を表示するように、制御手段によって制御される。このように、計数手段によって計数されるアプリケーションプログラムの数に応じて、それぞれ異なる表示形態で所定のアプリケーションプログラムに対応する予め定める情報が表示手段に表示されるので、使用者は、制御手段によって実行されているアプリケーションプログラムの有無だけではなく、実行されているアプリケーションプログラムの数も把握することができる。これによって、使用者に対する利便性を向上することができる。
【００２０】
また本発明によれば、入力手段によって実行指示情報が入力されたとき、予め定める時間が経過するごとに、予め定める向きに、表示領域全体に占める入力手段によって入力された実行指示情報に基づいて実行されるアプリケーションプログラムに対応する予め定める情報が表示される表示領域が徐々に大きくなるように、前記予め定める情報が表示手段に表示される。入力手段によって実行指示情報が入力されたとき、表示手段は、複数のアプリケーションプログラムのうちの少なくともいずれか１つのアプリケーションプログラムを実行している場合と、アプリケーションプログラムを実行していない場合とで、予め定める向きが異なるように、制御手段によって制御される。
【００２１】
前述のように、入力手段によって実行指示情報が入力されたとき、複数のアプリケーションプログラムのうちの少なくともいずれか１つのアプリケーションプログラムを実行している場合と、アプリケーションプログラムを実行していない場合とでは、それぞれ異なる向きに、予め定める時間が経過するごとに、表示領域全体に占める入力手段によって入力された実行指示情報に基づいて実行されるアプリケーションプログラムに対応する予め定める情報が表示される表示領域が徐々に大きくなるように、前記予め定める情報が表示手段に表示されるので、たとえば表示画面が比較的小さい場合でも、使用者に対して、アプリケーションプログラムを実行しているか否かを確実に認識させることができる。換言すれば、使用者は、アプリケーションプログラムが実行されているか否かを確実に把握することができる。これによって、使用者に対する利便性を向上することができる。また、アプリケーションプログラムが実行しているか否かを表す情報を生成して表示手段に表示させる処理を行う必要がないので、従来の技術のように表示領域が小さくなること、およびメモリの容量が不足して、複数のアプリケーションプログラムを実行することが困難になることを回避することができる。これによって、表示領域およびメモリの容量を有効に活用することができる。
【００２２】
また本発明によれば、表示時間設定手段には、入力手段によって入力される実行指示情報に基づいて実行されるアプリケーションプログラムに対応する予め定める情報が表示領域全体に表示されるまでの時間が設定される。表示手段は、表示時間設定手段によって設定される時間に基づいて、前記アプリケーションプログラムに対応する予め定める情報を表示するように、制御手段によって制御される。このように、表示時間設定手段によって設定される時間に基づいて、前記アプリケーションプログラムに対応する予め定める情報が表示手段に表示されるので、たとえば使用者にとってアプリケーションプログラムが実行されているか否かが把握し易い時間を設定することによって、使用者に対して、アプリケーションプログラムを実行しているか否かをさらに確実に認識させることができる。これによって、使用者に対する利便性を確実に向上することができる。
【００２３】
また本発明によれば、表示手段は、計数手段によって計数されるアプリケーションプログラムの数を表す情報を、所定のアプリケーションプログラムに対応する予め定める情報とともに表示するように、制御手段によって制御される。このように、計数手段によって計数されるアプリケーションプログラムの数を表す情報を、たとえばピクト表示で、所定のアプリケーションプログラムに対応する予め定める情報とともに表示手段に表示することによって、表示画面が新たな表示画面に切換わった後でも、使用者に対して、実行しているアプリケーションプログラムの数を確実に認識させることができる。換言すれば、使用者は、表示手段に表示される前記アプリケーションプログラムの数を表す情報を見るだけで、実行しているアプリケーションプログラムの数を容易かつ確実に把握することができる。これによって、使用者に対する利便性を確実に向上することができる。
【発明を実施するための最良の形態】
【００２４】
図１は、本発明の実施の一形態である電子装置１の構成を示すブロック図である。図２は、電子装置１の外観を示す正面図である。電子装置１は、たとえば画像を撮像する撮像手段を備え、無線電波を介して他の通信端末装置と無線通信を行い、音声情報だけではなく、文字データおよび画像データなどを送受信することができる、いわゆるカメラ付携帯電話機である。
【００２５】
電子装置１は、アンテナ１１、無線部１２、通信制御部１３、キー入力部１４、キー照明部１５、音声入力部１６、音声出力部１７、制御部１８、プログラム用メモリ１９、作業用メモリ２０、データ用メモリ２１、表示用メモリ２２、表示ドライバ部２３、表示部２４、撮像部２５、照明部２６、計時部２７および開閉検出部２８を含んで構成される。
【００２６】
アンテナ１１は、無線電波を介して他の通信端末装置と無線通信を行うときに、音声データ、文字データおよび画像データなどを送受信する。アンテナ１１は、たとえば伸縮自在なロッドアンテナによって実現される。無線部１２は、受信時は、他の通信端末装置からアンテナ１１を介して受信した音声データ、文字データおよび画像データを復調し、送信時は、通信制御部１３から送られてくる音声データ、文字データおよび画像データなどを変調して増幅し、アンテナ１１を介して他の通信端末装置に送信する。
【００２７】
通信制御部１３は、無線部１２が復調した文字データおよび画像データなどの受信データを所定の通信プロトコルに基づいて制御部１８に送り、無線部１２が復調した音声データを後述する音声出力部１７に送る。無線部１２および通信制御部１３を介して受信した相手先からの文字データおよび画像データなどの受信データは、データ用メモリ２１に記憶される。また、通信制御部１３は、データ用メモリ２１に記憶される文字データおよび画像データなどの送信データ、および後述する音声入力部１６に入力される音声を音声データとして無線部１２に送る。
【００２８】
キー入力部１４は、数字情報、文字情報および電子装置１への指示などの所定の情報を入力するための複数の操作入力キーを有し、操作入力キーを操作することによって、後述する制御部１８に各操作入力キーに対応した指示信号を与える。キー入力部１４は、機能キー群１４ａおよび数字キー群１４ｂを含む。
【００２９】
機能キー群１４ａは、カーソルキー３１、決定キー３２、電源キーおよび終話キーとして用いられる第１操作キー３３、ダイヤル発信、電子メールの送受信およびインターネット接続などに関する各アプリケーションプログラムを実行させるときに操作される複数のアプリケーションキー、ならびにシャッタキーを含む。カーソルキー３１は、上下左右の各キーによって構成され、後述する表示部２４に表示されるカーソルの移動を行うときに操作される。決定キー３２は、所定の入力および選択を決定するときに操作される。また決定キー３２は、所定のデータ項目をメニュー画面として表示部２４に表示するときに操作される。第１操作キー３３は、電子装置１への電力の供給および停止の指示、ならびに無線電波を介した他の通信端末装置との無線通信の終了、つまり終話の指示を入力するときに操作される。
【００３０】
アプリケーションキーは、第２操作キー３４、第３操作キー３５および第４操作キー３６を含む。各アプリケーションキーは、所定のアプリケーションプログラムを実行させるための実行指示情報を入力するときに操作される。第２操作キー３４は、たとえば後述する撮像部２５によって画像を撮像して、撮像した画像を画像データとしてデータ用メモリ２１、または不揮発性の記録媒体であるフラッシュメモリカードに記憶させるために、後述するプログラム用メモリ１９に記憶される撮像に関するアプリケーションプログラムを実行させる指示を入力するときに操作される。前記フラッシュメモリカードは、たとえばＳＤ（Secure Digital）メモリカード、ｍｉｎｉＳＤメモリカード、コンパクトフラッシュ（登録商標）カードおよびスマートメディア（登録商標）カードによって実現される。
【００３１】
第３操作キー３５は、たとえば電子メールの文書の作成、ならびに送信および受信した電子メールの閲覧を行うために、後述するプログラム用メモリ１９に記憶される電子メールに関するアプリケーションプログラムを実行させる指示を入力するときに操作される。第４操作キー３６は、インターネットを介して予め記憶されたＵＲＬ（Uniform Resource
Locator）に対応するウェブサイトに接続して、映画、音楽、書籍などに関連するテキストデータ、画像データおよび音声データなどのいわゆるコンテンツデータを閲覧するために、後述するプログラム用メモリ１９に記憶されるインターネットに関するアプリケーションプログラムを実行させる指示を入力するときに操作される。シャッタキーは、後述する撮像部２５で撮像されて生成される画像データをデータ用メモリ２１に記憶するための所定の指示を入力するときに操作される。
【００３２】
数字キー群１４ｂは、数字キー、文字キーおよび記号キーを含む。数字キーは、数字データを入力するときに操作される。文字キーは、文字データを入力するときに操作される。記号キーは、記号データを入力するときに操作される。
【００３３】
キー照明部１５は、キー入力部１４の背面に設置され、キー入力部１４の背面から光を照射することによって明るさを補う、いわゆるバックライトとして機能する。キー照明部１５は、たとえば発光素子である発光ダイオード（Light Emitting Diode；略称：ＬＥＤ）によって実現される。キー照明部１５は、制御部１８から制御信号が与えられ、その制御信号に基づいて点灯および消灯などを行う。キー照明部１５からキー入力部１４に光を照射することによって、電子装置１の周囲が暗い場合でも、キー入力部１４の各キーを見易くすることができ、視認性が向上する。キー照明部１５のＬＥＤは、点灯してから予め定める時間が経過すると、制御部１８によって消灯される構成にしてもよいし、使用者によってＬＥＤを消灯するための所定の情報がキー入力部１４によって入力されるまで点灯する構成にしてもよい。
【００３４】
音声入力部１６は、たとえばマイクロフォンによって実現される。音声入力部１６には、たとえば通話時の送話音声を入力する。音声出力部１７は、たとえばスピーカによって実現される。音声出力部１７は、たとえば通話時の受話音声、および通信制御部１３から与えられる音声データに基づく音声を発音する。
【００３５】
制御部１８は、中央演算処理装置（Central Processing Unit；略称：ＣＰＵ）を含み、後述するプログラム用メモリ１９に記憶される制御プログラムに基づいて、通信制御部１３、キー入力部１４、キー照明部１５、音声入力部１６、音声出力部１７、プログラム用メモリ１９、作業用メモリ２０、データ用メモリ２１、表示用メモリ２２、表示ドライバ部２３、表示部２４、撮像部２５、照明部２６、計時部２７および開閉検出部２８を制御する。また制御部１８は、後述するプログラム用メモリ１９に記憶される計数プログラムに基づいて、実行しているアプリケーションプログラムの数を計数する。また制御部１８は、キー入力部１４によって入力される所定の情報に応答して電子装置１を構成する各部位に制御信号を与えて、その動作を制御する。また制御部１９は、後述するプログラム用メモリ１９に記憶される各アプリケーションプログラムに基づいて、そのアプリケーションプログラムに対応する予め定める情報、たとえば文字情報および画像情報を、後述する表示部２４に表示させる。
【００３６】
プログラム用メモリ１９は、たとえばＥＥＰＲＯＭ（Electronically Erasable and
Programmable Read Only Memory）およびフラッシュメモリ（flash memory）などの書換え可能な不揮発性メモリによって実現される。プログラム用メモリ１９には、たとえば電子装置１を構成する各部位を制御するための制御プログラム、複数のアプリケーションプログラム、実行されているアプリケーションプログラムの数を計数する計数プログラム、および所定の実行指示情報に基づいて実行されるアプリケーションプログラムに対応する予め定める情報、たとえば文字情報および画像情報が、表示部２４の表示画面の表示領域全体に表示されるまでの時間を設定するための表示時間設定プログラムが記憶される。アプリケーションプログラムは、電話帳に関するアプリケーションプログラム、スケジュール管理に関するアプリケーションプログラム、撮像に関するアプリケーションプログラム、電子メールに関するアプリケーションプログラム、およびインターネットに関するアプリケーションプログラムを含む。
【００３７】
作業用メモリ２０は、たとえばＲＡＭ（Random Access Memory）などの揮発性メモリによって実現される。作業用メモリ２０には、作業中のデータが一時的に記憶される。作業用メモリ２０には、たとえば電話帳に関するアプリケーションプログラムを実行して作成している途中の電話帳データ、スケジュール管理に関するアプリケーションプログラムを実行して作成している途中のスケジュールデータ、電子メールに関するアプリケーションプログラムを実行して作成している途中の電子メールの文書データ、ならびに画像の撮像に関するアプリケーションプログラムを実行して、撮像部２５から連続的に与えられる画像データが一時的に記憶される。
【００３８】
データ用メモリ２１は、たとえばフラッシュメモリ（flash memory）などの書換え可能な不揮発性メモリによって実現される。データ用メモリ２１には、シャッタキーが押下されたとき、作業用メモリ２０に記憶されている画像データのうちの所定の画像データが記憶される。また、データ用メモリ２１には、無線部１２および通信制御部１３を介して受信した文字データおよび画像データなどの所定のデータが記憶される。また、データ用メモリ２１には、実行されているアプリケーションプログラムの数と、実行指示情報に基づいて実行される所定のアプリケーションプログラムに対応する予め定める情報を表示部２４の表示画面に描画するときの描画の向きとが関連付けられた描画テーブルが記憶される。
【００３９】
表示用メモリ２２は、ＶＲＡＭ（Video Random Access Memory）によって実現される。表示用メモリ２２のメモリ空間は、第１メモリ領域および第２メモリ領域を含む。第１メモリ領域には、表示部２４に表示させる所定の画像データが一時的に記憶される。第２メモリ領域には、表示部２４に表示している所定の画像データが一時的に記憶される。表示用メモリ２２の第２メモリ領域に記憶されるデータは、制御部１８の指示に従って、表示ドライバ部２３に与えられる。
【００４０】
表示ドライバ部２３は、後述する表示部２４の駆動回路であって、表示用メモリ２２の第２メモリ領域から与えられる画像データに基づいて、表示部２４の各画素電極に対して駆動電圧を印加する。これによって、表示部２４の表示画面に、表示用メモリ２２の第２メモリ領域に記憶される画像データが表す画像が表示される。
【００４１】
表示部２４は、たとえばカラー表示可能な半透過半反射型液晶表示素子によって実現され、文字ならびに静止画像および動画像などの画像を表示する。表示部２４には、たとえばプログラム用メモリ１９に記憶される所定のアプリケーションプログラムに基づく情報、予め定めるピクト、および後述する撮像部２５によって撮像された画像が表示される。ここで、「ピクト」とは、電子装置１の状態を簡易的に示す記号および画像である。ピクトには、電子装置１のバッテリの残量を示す記号、アンテナによる電波の送受信状態を示す画像、ＳＤメモリカードなどメモリカードの装着を示す画像がある。なお、表示部２４は、カラー表示または白黒表示可能な透過型液晶表示素子、反射型液晶表示素子、エレクトロルミネッセンス（Electro Luminescence；略称：ＥＬ）素子および白黒表示可能な半透過半反射型液晶表示素子のうちいずれか１つによって実現されてもよい。
【００４２】
撮像部２５は、撮像レンズと、電荷結合素子（Charge Coupled Device；略称：ＣＣＤ）イメージセンサ（以下、単に「ＣＣＤ」と表記する場合がある）およびＣＭＯＳ（
Complementary Metal-Oxide Semiconductor）イメージセンサなどの撮像素子と、カラーフィルタとを備える。撮像レンズは、被写体を撮像したとき、被写体の光像をＣＣＤ上に結像させる。ＣＣＤの受光面には、半球状のマイクロレンズを有する多数のフォトダイオードがマトリクス状に配置されている。また、ＣＣＤは、赤（略称：Ｒ），緑（略称：Ｇ），青（略称：Ｂ）の３色のカラーフィルタを備えており、被写体で反射されて撮像レンズを介して入射した光は、カラーフィルタを通してＲ，Ｇ，Ｂの３色光にされる。撮像レンズを介してＣＣＤの受光面のマイクロレンズに結像された被写体像は、各フォトダイオードによってＲ，Ｇ，Ｂの３色光の入射光量に応じた量の信号電荷に変換されて蓄積される。各フォトダイオードに蓄積された信号電荷は、信号電荷に応じた電気信号（画像信号）として出力される。
【００４３】
撮像部２５は、ＣＣＤから出力されるＲＧＢの３色光にそれぞれ対応したアナログ信号である電気信号を増幅し、増幅された前記電気信号を、アナログ／デジタル（略称：Ａ／Ｄ）変換器によって、デジタル信号に変換して画像データを生成する。
【００４４】
また、撮像部２５は、生成された画像データに対して、ホワイトバランス補正およびガンマ補正などの信号処理を施した後、信号処理を施した画像データに対して、予め定める圧縮処理を施す。本実施の形態では、ＪＰＥＧ（Joint Photographic coding Experts
Group）形式の圧縮処理を施す。圧縮処理が施された画像データは、データ用メモリ２１に記憶される。ここで、画像データを圧縮するときには、予め定める圧縮率に従って圧縮されてもよいし、使用者によって選択されて入力される圧縮率に従って圧縮されてもよい。圧縮率を変えることによって、同一の画像サイズでもファイルの容量を変えることができる。
【００４５】
照明部２６は、表示部２４の表示面の背面に設置され、表示面の背面から光を照射することによって明るさを補う、いわゆるバックライトとして機能する。照明部２６は、たとえば発光素子であるＬＥＤによって実現される。照明部２６は、制御部１８から与えられる制御信号に基づいて、点灯および消灯ならびに輝度調整などを行う。照明部２６から表示部２４に光を照射することによって、電子装置１の周囲が暗い場合でも、表示部２４に表示される表示内容を見易くすることができ、視認性が向上する。照明部２６のＬＥＤは、点灯してから予め定める時間が経過すると、制御部１８によって消灯される構成にしてもよいし、使用者によってＬＥＤを消灯するための所定の情報がキー入力部１４によって入力されるまで点灯する構成にしてもよい。
【００４６】
計時部２７は、たとえばリアルタイムクロック（Real Time Clock；略称：ＲＴＣ）によって実現される。計時部１８は、制御部２１、プログラム用メモリ１９およびデータ用メモリ２１の動作の基準となるシステムクロック、ならびに現在時刻などを含む計時情報を制御部１８に与える。
【００４７】
開閉検出部２８は、電子装置１の開閉状態、具体的には後述する第１筐体および第２筐体の折り畳み状態および展開状態を検出する。本実施の形態における展開状態とは、第１および第２筐体が相互に対向させた折り畳み状態で相互に対向する領域が外部に露出する状態であって、使用者が表示部２４を目視することができ、かつキー入力部１４を操作することができる状態である。
【００４８】
本実施の形態において、記憶手段は、データ用メモリ２１によって構成される。表示手段は、制御部１８、表示用メモリ２２、表示ドライバ部２３および表示部２４によって構成される。入力手段は、キー入力部１４および制御部１８によって構成される。制御手段は、制御部１８およびプログラム用メモリ１９によって構成される。計数手段は、制御部１８およびプログラム用メモリ１９によって構成される。表示時間設定手段は、キー入力部１４、制御部１８およびプログラム用メモリ１９によって構成される。
【００４９】
電子装置１は、図２に示すように、比較的扁平な略直方体状の第１筐体２と第２筐体３とが、ヒンジ部４を介して角変位可能に連結されて構成される。すなわち、電子装置１は、第１筐体２と第２筐体３とを角変位させることによって折り畳み可能に構成される。なお、電子装置１の２つの筐体２，３の成す最大の角度は、第１および第２筐体２，３の形状ならびにヒンジ部４の種類などで決まり、本実施の形態では約１８０度になるように構成されている。
【００５０】
アンテナ１１は、２つの筐体２，３を折り畳んだときの外側に位置するように、第１筐体２に設けられる。表示部２４は、２つの筐体２，３を折り畳んだときの内側に位置するように、第１筐体２に設けられる。キー入力部１４は、２つの筐体２，３を折り畳んだときの内側に位置するように、第２筐体３に設けられる。音声入力部１６は、第２筐体３の内部空間で、遊端部６の中央部に設けられる。音声出力部１７は、第１筐体２の内部空間で、遊端部５の中央部に設けられる。撮像部２５は、第１筐体２の遊端部５でかつ折り畳み状態で外部に露出する領域に、外部に臨んで設けられる。シャッタキーは、第１筐体２の一側面部に設けられる。本発明の実施の他の形態では、シャッタキーは、第２筐体３の一側面部に設けられてもよいし、第２操作キー３４を兼用するようにしてもよい。前述の位置に撮像部２５を設けることによって、折り畳み状態であっても、撮像部２５によって所望の画像を撮像することができる。
【００５１】
図３は、待ち受け画像情報４１およびメールメニュー画像情報４２を示す図である。図４は、待ち受け画像情報４１からメールメニュー画像情報４２への遷移過程において表示部２４に表示される画像情報の一例を示す図である。待ち受け画像情報４１は、他の通信端末装置からの着信要求およびキー入力部１４からのキー入力指示のうちいずれか一方を待っている待機状態（以下、単に「待ち受け状態」と表記する場合がある）のときに表示部２４の表示画面に表示される。メールメニュー画像情報４２は、待ち受け状態、つまりいずれのアプリケーションプログラムも実行していない状態で、電子メールに関するアプリケーションプログラム（以下、単に「メールプログラム」と表記する場合がある）が実行されたときに表示部２４の表示画面に表示される。
【００５２】
表１は、データ用メモリ２１に記憶される描画テーブルの一例である。本実施の形態では、実行しているアプリケーションプログラムの数に応じて、実行指示情報に基づいて実行される所定のアプリケーションプログラムに対応する予め定める情報を表示部２４の表示画面に描画するときの描画の向きを決定する。描画の向きは、制御部１８が表１に示す描画テーブルを参照することによって決定する。
【００５３】
【表１】
2005309996.tif 000003
【００５４】
本実施の形態において、表１に示す第１方向一方から他方への向きは、たとえば図３に示す矢符Ａ１の向き、つまり表示画面の短手方向Ｘ一方から他方への向きである。表１に示す第２方向一方から他方への向きは、たとえば図３に示す矢符Ａ２の向き、つまり表示画面の一方の対角線方向一方から他方への向きである。表１に示す第３方向一方から他方への向きは、たとえば図３に示す矢符Ａ３の向き、つまり表示画面の他方の対角線方向一方から他方への向きである。表１に示す第１方向他方から一方への向き、第２方向他方から一方への向きおよび第３方向他方から一方への向きは、それぞれ前述の表示画面の短手方向Ｘ他方から一方への向き、表示画面の一方の対角線方向他方から一方への向き、および表示画面の他方の対角線方向の他方から一方への向きである。図３では、理解を容易にするために、第１方向他方から一方への向き、第２方向他方から一方への向き、および第３方向他方から一方への向きを表す矢符を省略している。
【００５５】
本実施の形態において、表示部２４に待ち受け画像情報４１が表示されている状態で、使用者によって第３操作キー３５が操作されてメールプログラムを実行する指示を表す情報が入力されると、プログラム用メモリ１９に記憶されているメールプログラムが実行され、表１に示す描画テーブルに基づいて、表示部２４の表示画面に描画して表示するメールプログラムに対応する予め定める情報、本実施の形態ではメールメニュー画像情報４２の描画の向きが決定される。ここでは、いずれのアプリケーションプログラムも実行していない、つまり実行しているアプリケーションプログラムの数が０のときに、第３操作キー３５が操作されてメールプログラムを実行する指示を表す情報が入力される場合を想定している。したがって、メールメニュー画像情報４２の描画の向きは、表１に示す描画テーブルに基づいて、第１方向一方から他方への向き、つまり表示画面の短手方向Ｘ一方から他方への向きに決定される。
【００５６】
メールメニュー画像情報４２の描画の向きが決定されると、図４に示すように、たとえば表示画面の短手方向Ｘ一端部から、表示画面の短手方向Ｘ一方から他方への向きに、予め定める時間が経過するごとに、表示画面の表示領域全体に占める待ち受け画像情報４１が表示される表示領域が徐々に小さくなるように、かつ表示画面の表示領域全体に占めるメールメニュー画像情報４２が表示される表示領域が徐々に大きくなるように、メールメニュー画像情報４２が描画され、最終的にメールメニュー画像情報４２が表示部２４の表示画面全体に表示される。
【００５７】
図５は、待ち受け画像情報４１、電話帳登録画像情報４３およびメール表示画像情報４４を示す図である。電話帳登録画像情報４３は、待ち受け状態、つまりいずれのアプリケーションプログラムも実行していない状態で、電話帳に関するアプリケーションプログラム（以下、単に「電話帳プログラム」と表記する場合がある）が実行されたときに表示部２４の表示画面に表示される。メール表示画像情報４４は、電話帳プログラムが実行されているときに、メールプログラムが実行されたときに表示部２４の表示画面に表示される。
【００５８】
本実施の形態において、表示部２４に待ち受け画像情報４１が表示されている状態で、使用者によって決定キー３２およびカーソルキー３１が操作されて電話帳プログラムを実行する指示を表す情報が入力されると、プログラム用メモリ１９に記憶されている電話帳プログラムが実行され、表１に示す描画テーブルに基づいて、表示部２４の表示画面に描画して表示する電話帳プログラムに対応する予め定める情報、本実施の形態では電話帳登録画像情報４３の描画の向きが決定される。ここでは、いずれのアプリケーションプログラムも実行していない、つまり実行しているアプリケーションプログラムの数が０のときに、決定キー３２およびカーソルキー３１が操作されて電話帳プログラムを実行する指示を表す情報が入力される場合を想定している。したがって、電話帳登録画像情報４３の描画の向きは、表１に示す描画テーブルに基づいて、第１方向一方から他方への向き、つまり表示画面の短手方向Ｘ一方から他方への向きに決定される。
【００５９】
電話帳登録画像情報４３の描画の向きが決定されると、たとえば表示画面の短手方向Ｘ一端部から、表示画面の短手方向Ｘ一方から他方への向きに、予め定める時間が経過するごとに、表示画面の表示領域全体に占める待ち受け画像情報４１が表示される表示領域が徐々に小さくなるように、かつ表示画面の表示領域全体に占める電話帳登録画像情報４３が表示される表示領域が徐々に大きくなるように、電話帳登録画像情報４３が描画され、最終的に電話帳登録画像情報４３が表示部２４の表示画面全体に表示される。
【００６０】
次に、電話帳登録画像情報４３が表示部２４の表示画面に表示されている状態で、使用者によって第３操作キー３５が操作されてメールプログラムを実行する指示を表す情報が入力されると、プログラム用メモリ１９に記憶されているメールプログラムが実行され、表１に示す描画テーブルに基づいて、表示部２４の表示画面に描画して表示するメールプログラムに対応する予め定める情報、ここではメール表示画像情報４４の描画の向きが決定される。ここでは、電話帳プログラムを実行しているとき、つまり実行しているアプリケーションプログラムの数が１つのときに、第３操作キー３５が操作されてメールプログラムを実行する指示を表す情報が入力される場合を想定している。したがって、メール表示画像情報４４の描画の向きは、表１に示す描画テーブルに基づいて、第２方向一方から他方への向き、つまり表示画面の一方の対角線方向一方から他方への向きに決定される。
【００６１】
メール表示画像情報４４の描画の向きが決定されると、たとえば表示画面の長手方向Ｙ一端部かつ短手方向Ｘ一端部から、表示画面の一方の対角線方向一方から他方への向きに、予め定める時間が経過するごとに、表示画面の表示領域全体に占める電話帳登録画像情報４３が表示される表示領域が徐々に小さくなるように、かつ表示画面の表示領域全体に占めるメール表示画像情報４４が表示される表示領域が徐々に大きくなるように、メール表示画像情報４４が描画され、最終的にメール表示画像情報４４が表示部２４の表示画面全体に表示される。
【００６２】
本実施の形態において、いずれのアプリケーションプログラムも実行されていないときにメールプログラムが実行された場合には、電子メールに関する機能が制限されることはなく、図３に示すように、メールメニュー画像情報４２が表示部２４の表示画面に表示される。これに対して、所定のアプリケーションプログラム、たとえば電話帳プログラムが実行されているときにメールプログラムが実行された場合には、電子メールに関する機能の一部が制限され、受信メール、送信メールおよび未送信メールの一覧の参照のみができるメール表示画像情報４４が表示部２４の表示画面に表示される。電話帳プログラムを実行して電話帳登録画像情報４３が表示画面に表示されているときに、メールプログラムが実行された場合、使用者は電話帳に電子メールのアドレスを登録するために、たとえば受信メールの一覧を閲覧することがあっても、電子メールを作成したり、作成した電子メールを送信したりする頻度は低いと考えられるので、このような使用頻度が低い電子メールの作成および電子メールの送受信などの機能は使用できないようにして、メモリの容量を有効に活用することができるようにしている。
【００６３】
図６は、所定の画像データを表示用メモリ２２に記憶させるときの制御部１８の処理手順を示すフローチャートである。ステップＳ１では、制御部１８は、キー入力部１４によって所定のアプリケーションプログラムを実行するための実行指示情報が与えられたか否かを判断する。ステップＳ１において、制御部１８が、所定の実行指示情報が与えられたと判断したときは、ステップＳ２に進み、制御部１８が、所定の実行指示情報が与えられていないと判断したときは、所定の実行指示情報が与えられるまで待機する。
【００６４】
ステップＳ２では、制御部１８は、実行しているアプリケーションプログラムのうち、ステップＳ１で与えられた所定の実行指示情報に基づいて実行されるアプリケーションプログラムを除いた数を計数する。ステップＳ３では、制御部１８は、データ用メモリ２１に記憶されている描画テーブルに基づいて、所定のアプリケーションプログラムに対応する予め定める情報を表示部２４の表示画面に描画するときの描画の向きを決定する。
【００６５】
ステップＳ４では、制御部１８は、表示部２４の表示画面に描画する所定の情報を表す画像データを、表示用メモリ２２の第１メモリ領域に記憶させる。ステップＳ５では、制御部１８は、ステップＳ４で表示用メモリ２２の第１メモリ領域に記憶される所定の画像データを、表示用メモリ２２の第２メモリ領域に記憶させる。
【００６６】
ステップＳ６では、制御部１８は、表示部２４の表示画面に描画する所定の情報を表す画像データのすべてを表示用メモリ２２の第２メモリ領域に記憶させたか否かを判断する。ステップＳ６において、制御部１８が、描画する所定の情報を表す画像データのすべてを表示用メモリ２２の第２メモリ領域に記憶させたと判断したときは、すべての処理手順を終了する。またステップＳ６において、制御部１８が、描画する所定の情報を表す画像データのすべてを表示用メモリ２２の第２メモリ領域に記憶させていないと判断したときは、ステップＳ７に進む。
【００６７】
ステップＳ７では、制御部１８は、所定時間、表示用メモリ２２の第１メモリ領域に記憶される所定の画像データを、表示用メモリ２２の第２メモリ領域に記憶させる処理の進行を待機させるウエイト処理を行う。ウエイト処理における前述の処理の進行を待機させる所定時間は、プログラム用メモリ１９に記憶される表示時間設定プログラムを実行し、キー入力部１４によって設定される時間、具体的には、所定の実行指示情報に基づいて実行されるアプリケーションプログラムに対応する予め定める情報が、新たに表示部２４の表示画面の表示領域全体に表示されるまでの時間に基づいて算出される。ここで、前記アプリケーションプログラムに対応する予め定める情報が新たに表示部２４の表示画面の表示領域全体に表示されるまでの時間は、新たな予め定める情報が表示される前に表示されている情報に対する新たに表示される予め定める情報の単位時間当たりの変化の比率をいう。制御部１８は、計時部２７から取得する現在時刻を含む計時情報に基づいて、前記算出される所定時間が経過したか否かを判断する。制御部１８が、所定時間が経過したと判断した場合は、ステップＳ５に戻り、前述と同様の処理を繰り返し行う。
【００６８】
このように、所定の実行指示情報に基づいて実行されるアプリケーションプログラムに対応する予め定める情報が、表示部２４の表示画面の表示領域全体に表示されるまでの時間に基づいて、ウエイト処理が行われるので、前記予め定める情報が表示部２４の表示画面の表示領域全体に表示されるまでの時間を、たとえば使用者にとってアプリケーションプログラムが実行されているか否かが把握し易い程度の時間に設定することができる。これによって、使用者に対して、アプリケーションプログラムを実行しているか否かをさらに確実に認識させることができ、使用者に対する利便性を確実に向上することができる。
【００６９】
前述のように本実施の形態によれば、使用者によってキー入力部１４が操作されて、所定のアプリケーションプログラムを実行させるための実行指示情報が入力されたとき、少なくとも１つのアプリケーションプログラムが実行されている場合と、アプリケーションプログラムが実行されていない場合とで、それぞれ異なる表示形態で、所定のアプリケーションプログラムに対応する予め定める情報を表示部２４の表示画面に表示している。本実施の形態において、異なる表示形態で、所定のアプリケーションプログラムに対応する予め定める情報を表示部２４の表示画面に表示するとは、描画テーブルに基づいて、予め定める描画の向きに、所定のアプリケーションプログラムに対応する予め定める情報を表示部２４の表示画面に描画して表示することである。
【００７０】
詳細に述べると、実行されているアプリケーションプログラムの数が０のときに、使用者によって第３操作キー３５が操作されてメールプログラムを実行する指示を表す情報が入力されたとき、メールプログラムに対応する予め定める情報、本実施の形態ではメールメニュー画像情報４２の描画の向きが、データ用メモリ２１に記憶される描画テーブルに基づいて、第１方向一方から他方への向き、つまり表示画面の短手方向Ｘ一方から他方への向きに決定される。そして、表示画面の短手方向Ｘ一方から他方への向きに、予め定める時間が経過するごとに、表示画面の表示領域全体に占めるメールメニュー画像情報４２が表示される表示領域が徐々に大きくなるようにする、いわゆるワイプ処理によって、メールメニュー画像情報４２が描画され、最終的に表示部２４の表示画面全体にメールメニュー画像情報４２が表示される。ここで、ワイプ処理とは、予め定める第１の画像情報から予め定める第２の画像情報に切換える際に、第１の画像情報の表示領域が徐々に小さくなり、第２の画像情報の表示領域が徐々に大きくなるようにする処理をいう。
【００７１】
また、実行されているアプリケーションプログラムの数が１つのとき、たとえばアプリケーションプログラムとして電話帳プログラムが実行されているときに、使用者によって第３操作キー３５が操作されてメールプログラムを実行する指示を表す情報が入力されたとき、メールプログラムに対応する予め定める情報、ここではメール表示画像情報４４の描画の向きが、データ用メモリ２１に記憶される描画テーブルに基づいて、第２方向一方から他方への向き、つまり表示画面の一方の対角線方向一方から他方への向きに、予め定める時間が経過するごとに、表示画面の表示領域全体に占めるメール表示画像情報４４が表示される表示領域が徐々に大きくなるようにする、いわゆるワイプ処理によって、メール表示画像情報４４が描画され、最終的に表示部２４の表示画面全体にメール表示画像情報４４が表示される。
【００７２】
前述のように、実行されているアプリケーションプログラムの数に応じて、それぞれ異なる描画の向きで、各アプリケーションプログラムに対応する予め定める情報を、表示部２４の表示画面に描画して表示することによって、使用者に対して、アプリケーションプログラムを実行しているか否かを認識させることができる。換言すれば、使用者は、アプリケーションプログラムが実行されているか否かを把握することができる。したがって、従来の技術のように、使用者が複数のアプリケーションプログラムを実行していることを忘れて、所定の作業を行うために実行していたアプリケーションプログラムを終了してしまうことを抑止することができる。これによって、使用者に対する利便性を向上することができる。
【００７３】
また本実施の形態によれば、実行されているアプリケーションプログラムの数に応じて、それぞれ異なる描画の向きで、各アプリケーションプログラムに対応する予め定める情報を、表示部２４の表示画面に描画して表示するので、使用者は、実行されているアプリケーションプログラムの有無だけではなく、実行されているアプリケーションプログラムの数も把握することができる。これによって、使用者に対する利便性をさらに向上することができる。
【００７４】
また本実施の形態によれば、実行されているアプリケーションプログラムの数に応じて、それぞれ異なる描画の向きで、各アプリケーションプログラムに対応する予め定める情報を、表示部２４の表示画面に描画して表示するので、プログラム用メモリ１９に記憶される複数のアプリケーションプログラムのうち、いずれのアプリケーションプログラムが実行されているかを表す情報を表示部２４に表示させる必要がない。したがって、従来の技術のように表示部２４の所定の表示領域が小さくなること、およびプログラム用メモリ、作業用メモリおよびデータ用メモリの容量が不足して、複数のアプリケーションプログラムを実行することが困難になることを回避することができる。これによって、表示部２４の表示領域、ならびにプログラム用メモリ１９、作業用メモリ２０およびデータ用メモリ２１の容量を有効に活用することができる。
【００７５】
また本実施の形態によれば、データ用メモリ２１に記憶される描画テーブルに基づいて、アプリケーションプログラムの数に応じた描画の向きに、予め定める時間が経過するごとに、表示領域全体に占める所定のアプリケーションプログラムに対応する予め定める情報が表示される表示領域が徐々に大きくなるように、前記予め定める情報が表示部２４の表示画面に描画されて表示されるので、たとえば、表示部２４の表示画面が比較的小さい場合でも、使用者に対して、アプリケーションプログラムを実行しているか否かを確実に認識させることができる。換言すれば、使用者は、アプリケーションプログラムが実行されているか否かを確実に把握することができる。これによって、使用者に対する利便性を向上することができる。
【００７６】
前述の実施の形態では、計数プログラムを実行することによって、実行されているアプリケーションプログラムの数が計数され、この計数されたアプリケーションプログラムの数に応じて、それぞれ異なる描画の向きで、各アプリケーションプログラムに対応する予め定める情報を、表示部２４の表示画面に描画して表示する電子装置１の構成について述べたが、本発明の他の実施の形態では、計数プログラムを実行することによって計数される、実行されているアプリケーションプログラムの数を表す情報を、表示部２４の表示画面の所定の表示領域に、たとえばピクト表示するように構成してもよい。
【００７７】
このように、所定のアプリケーションプログラムに対応する予め定める情報とともに、表示部２４の表示画面の所定の表示領域に、計数プログラムを実行することによって計数される、実行されているアプリケーションプログラムの数を表す情報を表示することによって、表示部２４の表示画面に表示される画像が新たな画像に切換わった後でも、使用者に対して、実行しているアプリケーションプログラムの数を確実に認識させることができる。換言すれば、使用者は、表示部２４の表示画面に表示される前記アプリケーションプログラムの数を表す情報を見るだけで、実行しているアプリケーションプログラムの数を容易かつ確実に把握することができる。これによって、使用者に対する利便性を確実に向上することができる。
【００７８】
本発明のさらに他の実施の形態では、計数プログラムを実行することによって、実行されているアプリケーションプログラムの数が計数され、この計数されたアプリケーションプログラムの数に応じて、それぞれ異なる描画の向きで、各アプリケーションプログラムに対応する予め定める情報を、表示部２４の表示画面に描画して表示するとともに、計数プログラムを実行することによって計数される、実行されているアプリケーションプログラムの数を表す情報を、表示部２４の表示画面の所定の表示領域に、ピクト表示するように構成してもよい。これによって、使用者に対して、実行しているアプリケーションプログラムの数を、さらに確実に認識させることができる。換言すれば、使用者は、実行しているアプリケーションプログラムの数を、さらに容易かつ確実に把握することができる。
【００７９】
前述の実施の形態は、本発明の例示に過ぎず、本発明の範囲内において発明の構成を変更してもよい。前述の実施の形態では、実行指示情報に基づいて実行される所定のアプリケーションプログラムに対応する予め定める情報を表示部２４の表示画面に描画して表示するとき、描画テーブルに基づいて、表示部２４の表示画面に描画して表示する所定のアプリケーションプログラムに対応する予め定める情報の描画の向きを決定し、決定した描画の向きに、表示画面の表示領域全体に占める前記予め定める情報が表示される表示領域が徐々に大きくなるように、前記予め定める情報を描画して表示する電子装置１の構成について述べたが、本発明の他の実施の形態では、所定のアプリケーションプログラムを終了して、表示部２４の表示画面に描画して表示している前記アプリケーションプログラムに対応する予め定める情報を消去し、この予め定める情報が消去された後に表示画面に表示される予め定める情報も、所定の描画の向き、たとえば消去される予め定める情報が描画されたときの描画の向きとは反対の向きに描画して表示するように構成してもよい。
【００８０】
具体的には、たとえば第１のアプリケーションプログラムに対応する予め定める第１情報が表示部２４の表示画面に表示されている状態で、第２のアプリケーションプログラムを実行する指示を表す情報が入力されたとき、予め定める向き、たとえば表示部２４の表示画面の短手方向Ｘ一方から他方への向きに、第２のアプリケーションプログラムに対応する予め定める第２情報が表示画面に描画されて表示された場合を想定する。この場合に、第２のアプリケーションプログラムを終了して、表示部２４の表示画面に描画して表示している第２情報を消去しながら、表示部２４の表示画面に第１情報を描画して表示するときは、第２情報が描画されたときの描画の向きとは反対の向き、つまり表示部２４の表示画面の短手方向Ｘ他方から一方への向きに、第１情報を描画して表示するようにする。これによって、第２のアプリケーションプログラムを終了したことを、使用者に対して確実に認識させることができる。換言すれば、使用者は、第２のアプリケーションプログラムが終了したことを、確実に把握することができる。したがって、使用者に対する利便性を向上することができる。
【００８１】
また、前述の実施の形態では、実行指示情報に基づいて実行される所定のアプリケーションプログラムに対応する予め定める情報を表示部２４の表示画面に描画するときの描画の向きとして、第１方向一方から他方への向きを、表示画面の短手方向Ｘ一方から他方への向きとし、第２方向一方から他方への向きを、表示画面の一方の対角線方向一方から他方への向きとしているが、本発明の他の実施の形態では、たとえば第１方向一方から他方への向きを、表示画面の一方の対角線方向一方から他方への向きとし、第２方向一方から他方への向きを、表示画面の短手方向Ｘ一方から他方への向きとしてもよい。また、描画の向きは、前述の向きに限らず、たとえば表示画面の短手方向Ｘと直交する表示画面の長手方向Ｙ一方から他方への向き、および表示画面の長手方向Ｙ他方から一方への向きでもよい。
【００８２】
また、前述の実施の形態では、電子装置１としてカメラ付携帯電話機に適用した場合の構成について述べたが、本発明の他の実施の形態では、カメラ付携帯電話機に限らず、たとえば電子装置１として携帯情報端末（略称：ＰＤＡ）に適用した場合でも、好適に実施することができる。
【図面の簡単な説明】
【００８３】
【図１】本発明の実施の一形態である電子装置１の構成を示すブロック図である。
【図２】電子装置１の外観を示す正面図である。
【図３】待ち受け画像情報４１およびメールメニュー画像情報４２を示す図である。
【図４】待ち受け画像情報４１からメールメニュー画像情報４２への遷移過程において表示部２４に表示される画像の一例を示す図である。
【図５】待ち受け画像情報４１、電話帳登録画像情報４３およびメール表示画像情報４４を示す図である。
【図６】所定の画像データを表示用メモリ２２に記憶させるときの制御部１８の処理手順を示すフローチャートである。
【符号の説明】
【００８４】
１  電子装置
１１  アンテナ
１２  無線部
１３  通信制御部
１４  キー入力部
１５  キー照明部
１６  音声入力部
１７  音声出力部
１８  制御部
１９  プログラム用メモリ
２０  作業用メモリ
２１  データ用メモリ
２２  表示用メモリ
２３  表示ドライバ部
２４  表示部
２５  撮像部
２６  照明部
２７  計時部
２８  開閉検出部
【図１】
2005309996.tif 000004
【図２】
2005309996.tif 000005
【図３】
2005309996.tif 000006
【図４】
2005309996.tif 000007
【図５】
2005309996.tif 000008
【図６】
2005309996.tif 000009